(57)【要約】      （修正有）【課題】片手だけでペーパーを確実かつ容易に切り離すことができ、設置場所や設置姿勢を自由に変えることのできるペーパーホルダーを提供する。【解決手段】片持ち式に保持したロールペーパーを引き出して切断可能なペーパーホルダーにおいて、ホルダー本体２は、ロールペーパーＲを収納保持する収納室５とロールペーパーＲの回転を制御する制御室７とが、隔壁４を介して連結して並設されており、隔壁４を貫通して回転可能に支持された保持軸９の収納室５内の部分には、保持軸９の開放端より挿入されるロールペーパーＲを一体回転可能、且つ挿抜可能にする保持手段１０が形成され、制御室７内にある保持軸９に対しては可変設定可能な回転摩擦抵抗を加える負荷制御手段１３が形成され、引き出されたペーパー面により押しつけられて当接する部分に滑り止め加工された切断補助部材が、保持軸９の軸線方向に沿って平行に離間した本体２の所定位置に配設されている。【選択図】図３
2014200444.tif 000002
【特許請求の範囲】
【請求項１】
片持ち式に保持したロールペーパーを引き出して切断可能であり、固定構造物への固定手段を備えるペーパーホルダーにおいて、ホルダー本体はロールペーパーを収納保持する収納室とロールペーパーの回転を制御する制御室とが、隔壁を介して連結して並設されており、該隔壁を貫通して回転可能に支持された保持軸の収納室内の部分には、保持軸の開放端より挿入されるロールペーパーを一体回転可能、且つ挿抜可能にする保持手段が形成され、制御室内にある前記保持軸に対しては可変設定可能な回転摩擦抵抗を加える負荷制御手段が形成され、引き出されたペーパー面により押しつけられて当接する部分に滑り止め加工された切断補助部材が、保持軸の軸線方向に沿って平行に離間した前記本体の所定位置に配設されたことを特徴としたペーパーホルダー。
【請求項２】
前記保持手段は、片持状態で収納室内にある前記保持軸の開放端近傍の外周面に軸芯方向に沿って刻設された複数個の凹溝内に弾性部材を設け、挿入される筒芯と一体回転可能に筒芯の内周面を前記弾性部材の弾性変形により付勢圧接するとともに、前記保持軸と一体に形成されたインサートガイド台のテーパー面と嵌挿される筒芯の内部が嵌合することで、ロールペーパーを保持する手段を備えたことを特徴とした請求項１に記載のペーパーホルダー。
【請求項３】
前記負荷制御手段は、前記本体の外部に突出した操作軸の回転操作に連動するブレーキパットが、前記保持軸と一体に回転するブレーキドラムに対して接離することで、ロールペーパーに対して可変設定可能な回転摩擦抵抗を加えることを特徴とした請求項１または請求項２記載のペーパーホルダー。
【請求項４】
請求項１から請求項３までのいずれか一に記載のペーパーホルダーにおいて、本体の固定構造体への固定手段を本体および（または）本体との係脱可能な固定板に備えるペーパーホルダーであって、縦横自在な設置姿勢で固定可能に構成されていることを特徴としたペーパーホルダー。
【発明の詳細な説明】
【技術分野】
【０００１】
本発明は、片手でペーパーを切り離す時に必要なペーパーへの張力を付与する機能を備えるペーパーホルダーに関するものである。
【背景技術】
【０００２】
ロールペーパーへの張力を付与して片手により切断可能な機能を備えたペーパーホルダーにおいて、固定されたホルダーに回転可能にセットされたロールペーパーへの回転摩擦負荷を手動で可変設定して、ペーパーの引き出し作業の途中で破断しない程度の張力をペーパーに付与する機能を備えるペーパーホルダーとしては、回動自在に支持されているロールペーパーを覆うようにペーパーホルダーの本体に枢着され、ロールペーパーの外周面に常に当接している先端に切断刃を備えた蓋に、ロールペーパーに対して可変設定可能な押圧力を常に付勢する手段を付設することで、蓋によるロールペーパー外周面への圧接摩擦により引き出したペーパーに張力を付与し、片手によってそのペーパーを切断刃に引接上動して切り離すことが出来るとするペーパーホルダー（特許文献１参照）や、ロールペーパーの筒芯に挿入してロールペーパーを保持する円筒状保持軸の内部からの突出部材で、筒芯の内面を当接押圧する度合いを可変設定可能にして筒芯と保持軸との回転摩擦を制御することで、片手で引き出したペーパーに張力が付与されて緊張状態にあるペーパーを引き出す速度を加速させて、ペーパーをミシン目の部分で引き千切ることが出来るとするペーパーホルダー（特許文献２参照）がある。
【先行技術文献】
【特許文献】
【０００３】
【特許文献１】特開２００５−１０２９８４号公報
【特許文献２】特開２００２−３４５６８０号公報
【発明の概要】
【発明が解決しようとする課題】
【０００４】
しかしながら、特許文献１のペーパーホルダーにあっては、一つのロールペーパーを消費するにつれてロールペーパーの巻径が小さくなり、蓋によるロールペーパー外周面への押圧力が弱くなり、ロールペーパーの空転を避けるために途中でのロールペーパーへの押圧調節が必要となり煩わしい。特許文献２のペーパーホルダーにあっては、突出部材と筒芯の内面との当接する部分がロールペーパーを消費して回転する度に摩擦しており、紙製である筒芯の当接部分が摩耗変形して押圧力が弱くなり、ロールペーパーの空転を避けるための押圧調節が途中で必要となり煩わしい。
【０００５】
そこで、本発明は、上述したような事情に鑑みてなされたものであり、紙質等により破断限界張力が違うロールペーパーを片手で引き出し切断する時に不可欠な引き出されるペーパーへの張力を安定的に付与する最良の方法として、耐摩耗性に弱い紙製品であるロールペーパーの外周面や筒芯やペーパー面等への直接的な圧接摩擦により付与される不安定な張力に頼らず、耐摩耗性に強い部材を圧接する対象とし、かつ、ペーパー自体の紙質による張力やミシン目の連結力すなわちミシン目の破断限界張力の違いに対応して、ペーパーの引き出し途中での破断することのない破断限界張力未満に調節設定するべく、初期設定として使用者によりロールペーパーの取り付け時に  ロールペーパーを保持して一体に回転する保持軸に対して一定の回転摩擦負荷を加えることで、少なくても使用途中のペーパーに対して安定した一定の張力を付与する負荷制御手段を備えたペーパーホルダーとし、そのペーパーホルダー本体にペーパーの滑り止め加工された切断補助部材を固設し、その切断補助部材に引き出したペーパーを引接押動することで更なる張力がペーパーに付加され、ミシン目の連結抵抗力の限界近くまでの張力を手に受けながら、ペーパーの破断限界張力を超えてミシン目部分より確実に破断可能にしたペーパーホルダーを、固定構造物に固定することで片手により破断することができるペーパーホルダーを提供することを目的とするものである。
【課題を解決するための手段】
【０００６】
上記目的を達成するために、本発明における請求項１のペーパーホルダーは、片持ち式に保持したロールペーパーを引き出して切断可能であり、固定構造物への固定手段を備えるペーパーホルダーにおいて、ホルダー本体はロールペーパーを収納保持する収納室とロールペーパーの回転を制御する制御室とが、隔壁を介して連結して並設されており、該隔壁を貫通して回転可能に支持された保持軸の収納室内の部分には、保持軸の開放端より挿入されるロールペーパーを一体回転可能、且つ挿抜可能にする保持手段が形成され、制御室内にある前記保持軸に対しては可変設定可能な回転摩擦抵抗を加える負荷制御手段が形成され、引き出されたペーパー面により押しつけられて当接する部分に滑り止め加工された切断補助部材が、保持軸の軸線方向に沿って平行に離間した前記本体の所定位置に配設されたことを特徴としている。
【０００７】
また、請求項２のペーパーホルダーは、請求項１に記載のペーパーホルダーにおいて、前記保持手段は、片持状態で収納室内にある保持軸の開放端近傍の外周面に軸芯方向に沿って刻設された複数個の凹溝内に弾性部材を設け、挿入される筒芯と一体回転可能に筒芯の内周面を前記弾性部材の弾性変形により付勢圧接するとともに、前記保持軸と一体に形成されたインサートガイド台のテーパー面と嵌挿される筒芯の内部が嵌合することで、ロールペーパーを保持する手段を備えたことを特徴としている。
【０００８】
また、請求項３のペーパーホルダーは、請求項１または請求項２記載のペーパーホルダーにおいて、前記負荷制御手段は、ペーパーホルダーの外部に突出した操作軸の回転操作に連動するブレーキパットが、前記保持軸と一体に回転するブレーキドラムに対して接離することで、ロールペーパーに対して可変設定可能な回転摩擦抵抗を加えることを特徴としている。
【０００９】
さらには、請求項４のペーパーホルダーは、請求項１から請求項３までのいずれか一に記載のペーパーホルダーにおいて、本体の固定構造体への固定手段を本体および（または）本体との係脱可能な固定板に備えるペーパーホルダーであって、縦横自在な設置姿勢で固定可能に構成されていることを特徴としている。
【発明の効果】
【００１０】
請求項１によれば、ロールペーパーを保持して一体回転する保持軸に対して任意設定により一定の回転摩擦を加えることで、ペーパーの紙質による張力やミシン目の張力の違いによる破断限界張力の違いに対応した初期設定の張力を付与することが出来る。このような構成によれば、ロールペーパーを使用するにつれて変化する  ロールペーパーの巻径の減少による圧接摩擦力の減少や、耐摩耗性が弱い紙製品であるロールペーパーの一部分との圧接摩擦力の減少などの変化する要因が無くなり、一度セットすればロールペーパーが同一メーカーの製品であれば付与される張力は略同一であり、使い切りによる交換においてもロールペーパーへの回転抵抗負荷の調整が不要であり、引き出されたペーパーに一定の張力が付与される。また、緊張状態にある引き出されたペーパーの切り離し操作時に、そのペーパーを切断補助部材の滑り止め加工された部分に引接押動することで、初期設定の張力と切断補助部材との圧接摩擦により付与されるペーパーへの張力との和が、ペーパーの破断限界張力を超えて安定的にミシン目部分より切り離すことができる。
【００１１】
また、ロールペーパーには常に一定の回転制動力が付与されているので、ロールペーパーの巻戻りが無くペーパーホルダーの使用時の位置姿勢も限定されずに使用可能であり、引き出されるペーパーには一定の緊張状態での張力が付与されているので、切断するミシン目部分のスリット幅が拡幅されておりミシン目の位置を視認することがより容易になり余分にペーパーを引き出すことが防げる。
【００１２】
請求項２によれば、ロールペーパーの保持を片持ち状にして、保持軸と一体回転可能で挿脱可能な保持手段を備えることで、  ロールペーパー筒芯の内径サイズやペーパー幅サイズが一種類に限定されることが無く、メーカーにより製品の各種サイズがまちまちなキッチンペーパー等が使用可能であり、さらには、このペーパーホルダーを垂直な固定構造体に縦姿勢で止着して使用することができ、横姿勢と比較してペーパーの切断作業時に必要な空間を少なくすることが可能となり、限られた空間を有効に利用できる。  
【００１３】
請求項３によれば、ペーパーホルダーの外部に突出した操作軸を回転操作することで、保持軸と一体回転するブレーキドラムに対して回転摩擦抵抗負荷を加え、ペーパーに付与する張力の可変設定操作が簡単にできる。
【００１４】
請求項４によれば、固定構造体への固定手段を備えたペーパーホルダーとすることで、ペーパーを片手により切断することが可能であり、持ち運び自由な可搬式ペーパーホルダーとして使用可能となり、ペーパーホルダーの使用場所が限定されないため、利便性の高いペーパーホルダーとなる。
【図面の簡単な説明】
【００１５】
【図１】本発明のペーパーホルダーの一例を示す図で、使用状態を示す一部分離斜視図である。
【図２】本体の背面図である。
【図３】本体の切断正面図である。
【図４】図３のＸ−Ｘ断面図である。
【図５】図３のＹ−Ｙ断面図である。
【図６】負荷制御装置の部分拡大図である。
【図７】別の実施例の負荷制御装置であって、図５に相当する部分の断面図である。
【図８】図７の負荷制御装置の部分拡大図である。
【発明を実施するための形態】
【００１６】
図１〜図６は本発明の一実施の形態に係るペーパーホルダーを示すものであり、本発明の構成を図面に示す発明の実施の形態に基づいて説明すると次の通りである。なお、本考案のペーパーホルダーにセットできるロール状の物品はミシン目のあるキッチンペーパーに限らないが、ここではミシン目のあるキッチンペーパーをセットしてミシン目より破断するペーパーホルダーとして説明する。
【００１７】
図１〜図４に示すように、このペーパーホルダー１は、ロールペーパーＲを保持収納し引き出したペーパーＰを切断する手段を備える収納室５とロールペーパーＲの回転を制御する制御室７が隔壁４を介して並設された略中空円筒形状の二つの室が一体に形成された本体２と、この本体２と係脱可能に係合して固定構造物に固定可能な固定板３とで構成された可搬可能なペーパーホルダー１である。
【００１８】
本体２は合成樹脂による一体成型品であり、本体２の背部に相当する部分の外周壁には、固定構造物への取り付け平面を形成する基部５ａが突設されており、その取り付け平面には、固定板３の前面に突設された突起片３ａと係合する一対のダルマ孔５ｂが穿設されて、固定板３との係脱が可能なペーパーホルダー１となっている。また、固定板３の背面には複数のマグネット１５が固着されてスチール製品に磁着させるように構成されており、固定構造物に固定された固定板３を介して固定構造物に対して係脱可能なペーパーホルダー１となっている。さらには、本体２の外周壁頂部には、固定板３に本体２を係脱する時に、片手により本体２を掴み易くするための取っ手５ｅが突設されている。本実施例では、固定構造物への固定板３の固定止手段としてマグネット１５を用いたが、他の手段として吸盤あるいは、両面テープや面ファスナを用いても良い。また、この固定手段を本体２の基部５ａの平面に直接に設けて（図示しない）特定された固定構造物のみに限定して止着した本体２をペーパーホルダーとしてもよい。
【００１９】
また、図３〜図６に示すように、収納室５は、隔壁４を底とした略中空円筒形状で他方が開口してロールペーパーＲの挿入口５ｃが形成されており、収納室５の外周壁の底部には隔壁４近傍から挿入口５ｃに向かって細長く切り欠かれてペーパーＰの引出口５ｄが形成されており、その引出口５ｄの正面側の縁部は肉厚に形成され、引き出されたペーパーＰが当たる表面部分には微小な凹凸形状としたり、ゴム等のように摩擦係数の大きなものを貼ったりした滑り止め材６ａが施されており、垂下方向に引き出したペーパーＰを手前方向に変えることで、切断補助部材６との摺接摩擦により引き出されたペーパーＰに張力が付加されてミシン目による切断が可能となる。また、衛生的な観点から挿入口５ｃを塞ぐ円形蓋（図示しない）を挿入口に嵌着してもよい。
【００２０】
制御室７は、隔壁４を底とした略中空円筒形状で他方が側壁８により塞がれており、制御室７の外周壁の前側部分の大半が開放されて組立口７ａが形成され、制御室７の内部には後述する負荷制御手段である周知のバンドブレーキ機構１３が配設されており、負荷を調整する操作軸１１が外部に突出可能に貫通孔が穿設されたカバー７ｂが組立口７ａを閉塞して制御室７の外周壁に嵌着されており、さらには、本体２を水平な固定構造物の平面に縦置きして使用する場合の着脱自在な止着手段として、側壁８の外側にはマグネット１５が適宜位置に配設されている。また、固定構造物が非磁性体に対応可能な吸着盤（図示しない）をマグネット１５の替わりに使用しても良い。さらには、本体２を水平面に縦置きして載置使用として限定する場合は、片手による破断時における本体２の転倒防止対策として、側壁８の外側に滑り止め材を付設するとともに低重心構造（図示しない）に形成してもよい。
【００２１】
保持軸９は合成樹脂の丸棒部材であり、隔壁４の開放端側面を堺にして片持ちされて収納室５内にある保持軸９を大径部９ａとなし、制御室７内にある他端側の部分を小径部９ｂとなした段差形状に形成されており、小径部９ｂを先端にして挿入口５ｃ側よりインサートガイド台１０ｄ、隔壁４、ブレーキドラム１４を貫通して、側壁８の内面に穿設された軸受孔８ａに係入され回転可能に支持されている。
【００２２】
大径部９ａの開放端近傍の外周面には、円周方向の二方向に等ピッチで軸線方向に沿った凹溝１０ａが刻設されており、凹溝１０ａ内に金属線材を折り曲げて形成した弾性バネ１０ｂが装着されている。弾性バネ１０ｂの挿入口５ｃ側の端部はタッピングネジ１０ｃにより保持軸９に固定されており他方の可動端部はスライド自在な自由端となっており、弾性バネ１０ｂが径方向へ弾性変形して拡縮することで挿入された芯管Ｓの内周面をバネ付勢により常時押圧しており、ロールペーパーＲを一体回転可能、且つ挿抜可能にする保持手段１０を形成している。これにより、多種類の芯管Ｓの径や多種類のロールペーパーＲに対応できる。
【００２３】
インサートガイド台１０ｄは、円錐台形状の中心部に保持軸９が貫通する中空円筒孔が形成されており、テーパー面の先細り部分を開放端側に向けて保持軸９と一体回転可能に挿着されており、挿入された芯管Ｓがガタつくことなく保持軸９に保持される構成になっている。
【００２４】
支持体１２は、支持片１２ａに支持片カバー１２ｂを嵌着して支持体１２を形成しており、支持片１２ａは隔壁４の側壁８側面より保持軸９に平行かつ水平に突設された長方形の板状であり、操作軸１１を保持軸９の垂直方向に配置し回転可能かつ螺進退可能に支持しており、後述するブレーキバンド１３ａの可動端１３ｃと固定端１３ｂの貫通孔を挿通した操作軸１１を支持片１２ａに組み込んだ後に支持片カバー１２ｂを嵌着してバンドブレーキ機構１３を形成している。
【００２５】
公知の技術であるバンドブレーキ機構１３は、小径部９ｂに挿着固定された円盤状のブレーキドラム１４と、ブレーキドラム１４を巻き回し内周面にブレーキパッド１３ｄを貼設した環状のブレーキバンド１３ａとで構成されており、ブレーキバンド１３ａの一端の固定端１３ｂは支持体１２に形成された嵌合溝１２ｃに固定されており、他方の可動端は、ねじ部１１ｂが支持体１２と螺合する操作軸１１と一体のフランジ１１ａの螺進退に連動して直線運動することで、ブレーキバンド１３ａの径が拡縮しブレーキドラム１４を締付可能な構造になっている。尚、ブレーキドラム１４は大径部９ａの段差面との間の隔壁４を狭持することで保持軸９の抜けを防止している。
【００２６】
操作軸１１は、制御室７の内部よりカバー７ｂを貫通して突出し、外部位置にある先端部にツマミ１１ｃが設けられていて、このツマミ１１ｃを手指などで回転させることで、ブレーキドラム１４への回転摩擦を可変設定できるようにしている。
【００２７】
図７〜図８は、他の実施例を示す図面であり、前述の実施態様との違いは、ブレーキドラム１４に対する負荷制御をブレーキバンド１３ａの拡縮によらずに、操作軸１１の回転操作に連動してブレーキパッド２１ｂが貼設された略三角形の押圧体２１が、ブレーキドラム１４に対して前後方向に直線移動し接離することで負荷制御する構造となっていることである。尚、前述の実施例と共通する部分は符号を流用し、変更部分についてのみ符号を変更して表示する。
【００２８】
支持片２０ａは、前述の実施例と同様に隔壁４より突設され、操作軸１１と押圧体２１を組み込んだ後に支持片カバー２０ｂを嵌着して支持体２０を形成しており、支持体２０を形成することで支持体２０の上平面端部には隔壁４の壁面と平行にカーテンレールのような断面Ｃ型のスライド溝２０ｃが突出して形成され、鍔２１ｃがスライド自在にスライド溝２０ｃに嵌合し、係合凹溝２１ｄとフランジ１１ａとの係合により、操作軸１１を回転操作することで螺進退するフランジ１１ａに連動して押圧体２１が直線移動して、押圧体２１がブレーキドラム１４に対して接離自在に負荷制御する。
【００２９】
押圧片２１ａは、略三角形の板状体であり矩形状底辺縁より外部方向に突出した鍔２１ｃと、底辺の略中央部に係合凹溝２１ｄが突出して一体に押圧片２１ａが形成されている。また、押圧片２１ａの斜辺に相当する部分の断面形状はブレーキドラム１４と略同一半径の円弧状であり、曲面には弾性変形可能なブレーキパッド２１ｂが貼着されて押圧体２１を形成している。
【００３０】
以上、本発明に係るペーパーホルダーについて、その実施形態を例示して説明したが、本発明は、むろん上述の実施形態に限られるものではなく、本発明の趣旨を逸脱しない範囲で様々に形態等を変更することが可能なものである。
【００３１】
例えば、本発明に係るペーパーホルダーにおいて、本体の操作室を一体に形成しているが、操作室を別体にしてバンドブレーキ機構を組み込んだ後に、側壁を底部とする円筒状の操作室を隔壁に嵌着して本体を形成（不図示）してもよい。
【００３２】
あるいは、本発明に係るペーパーホルダーを棚板等の高い位置で懸垂固定して使用する場合は、取っ手の部分に公知技術である断面形状がコ字型の金属片に調整ネジを螺着した（不図示）取着手段を形成することで、懸垂状態での使用が可能となる。
【００３３】
また、以上の実施例では、使用するロール状シートをミシン目があるキッチンペーパーで説明してきたが、切断補助部材を摩擦部材に替えて鋸歯にする（不図示）ことで、ミシン目が無いロール状のシート(ラップフイルム・アルミホイール)やトイレットペーパー(ミシン目による切断をしない)を切断することができる。
【符号の説明】
【００３４】
１  ペーパーホルダー
２  本体
３  固定板
４  隔壁
５  収納室
６  切断補助部材
７  制御室
８  側壁
９  保持軸
９ａ  大径部
９ｂ  小径部
１０  保持手段  
１０ｂ  弾性バネ
１０ｄ  インサートガイド台
１1  操作軸  
１２  支持体  
１３  バンドブレーキ機構
１４  回転ドラム
１５  マグネット
２０  支持体
２１  押圧体
Ｐ  ペーパー
Ｒ  ロールペーパー
Ｓ  芯管
【図１】
2014200444.tif 000003
【図２】
2014200444.tif 000004
【図３】
2014200444.tif 000005
【図４】
2014200444.tif 000006
【図５】
2014200444.tif 000007
【図６】
2014200444.tif 000008
【図７】
2014200444.tif 000009
【図８】
2014200444.tif 000010